(57)【要約】【課題】  持ち運びに便利で、しかも容易に尿を分割して保存することのできる蓄尿容器を提供する。【解決手段】  蓄尿容器１を、有底筒状の採尿カップ２と、該採尿カップ２に採取された尿の一定の割合の尿を保存する複数の筒状の保存容器（保存用カートリッジ）３と、で構成する。採尿カップ２の下端部にその外周から突出する保存容器支持部７を設け、該支持部７に保存容器３の下端を嵌合することにより保存容器３を採尿カップ２に対して平行に起立させて支持する複数の保存容器嵌合部８を設けた。前記保存容器嵌合部８の底部と採尿カップ２の底部を連通孔９で連通するとともに、保存容器３の下端には保存容器嵌合部８内において連通孔９と連通する開口部１０及び該開口部１０を開閉する開閉弁１４を設けた。【選択図】  図１
2006003284.tif 000002
【特許請求の範囲】
【請求項１】
有底筒状の採尿カップと、該採尿カップに採取された尿の一定の割合の尿を保存する複数の筒状の保存容器と、を備え、
前記採尿カップは、下端部の外周面から突出する保存容器支持部を備え、該保存容器支持部は、前記保存容器の下端を嵌合することにより該保存容器を前記採尿カップに対して平行に起立させて支持する複数の保存容器嵌合部を備え、該保存容器嵌合部の底部と前記採尿カップの底部を連通孔で連通するとともに、
前記保存容器は、前記保存容器嵌合部内において前記連通孔と連通する開口部及び該開口部を開閉する開閉弁を備えていることを特徴とする蓄尿容器。
【請求項２】
前記保存容器は、前記筒状の採尿カップの横断面積に対して所定の割合の横断面積に形成されていて下端部に前記開口部を有し、上端部がキャップにより閉塞された筒状部と、前記キャップの中心孔から一端の操作部を突出させた状態で前記筒状部の中心部に移動可能に取り付けられた弁開閉ロッドと、前記弁開閉ロッドの一端部側に設けられていて前記弁開閉ロッドを前記筒状部から抜き出す方向に移動させることにより前記開口部を開き、前記筒状部に挿入する方向に移動させることにより前記開口部を閉塞する開閉弁と、を備えていることを特徴とする請求項１に記載の蓄尿容器。
【請求項３】
前記弁開閉ロッドは、前記開閉弁と反対の端部側に前記筒状部の内周面の間をシールするシール部を備えていることを特徴とする請求項２に記載の蓄尿容器。
【請求項４】
前記筒状部は、周面に大気導入孔を備え、該大気導入孔は、前記開閉弁で前記開口部を開放した状態において該開閉弁と前記シール部の間に位置し、前記開閉弁で前記開口部を閉塞した状態において前記開閉弁と前記シール部の間の外側に位置して設けられていることを特徴とする請求項３に記載の蓄尿容器。
【請求項５】
前記筒状部及び前記キャップは、前記筒状部に対して前記キャップを回転させて互の位置を合わせることにより連通して外部から薬剤を前記筒状部に注入可能にする薬剤注入孔を備えていることを特徴とする請求項３に記載の蓄尿容器。
【請求項６】
前記筒状部は、その内部の前記大気導入孔よりも前記開口部側の位置に薬剤支持部を備え、該薬剤支持部に薬剤入りのカプセルが予め収容されていることを特徴とする請求項４に記載の蓄尿容器。
【請求項７】
採尿した尿を分割する漏斗状の分尿カップと、前記分尿カップにより分割された尿を保存する第１，第２の蓄尿容器と、を備え、
前記分尿カップは、底部に第１，第２の排出口を備え、前記第１，第２の排出口は、これらの断面積の大きさに比例する割合で前記分尿カップ内の尿を分割して前記第１，第２の蓄尿容器に供給することを特徴とする蓄尿容器。
【請求項８】
前記分尿カップは、前記第１，第２の排出口の断面積の数倍の断面積を有する第３の排出口を備えていて、該第３の排出口からは不要の尿が排出されることを特徴とする請求項７に記載の蓄尿容器。
【発明の詳細な説明】
【技術分野】
【０００１】
本発明は、糖尿病患者、尿路結石症患者等が携帯して随時、排尿の一定量を採取、保管し、或いは病院内において患者の排尿を蓄尿するための蓄尿容器に関するものである。
【背景技術】
【０００２】
携帯用の蓄尿容器として、例えば図１３に示すものが知られている。蓄尿容器１０１は、伸縮自在のカップ体１０２と、カップ体１０２を下方から受容するカップ受体１０３と、カップ受体１０３の下方に配置された尿溜容器１０４と、から成っていて、カップ体１０２に採取した尿を、カップ体１０２の底面に設けた第１排出口１０５及びカップ受体１０３に設けた排出用の筒部１０６から外部に排出すると共に、尿検査に必要な尿検体をカップ体１０２の底面に設けた第２排出口１０７及びカップ受体１０３に設けた取入口１０８から前記尿溜容器１０４内に取り入れるようになっている。（特許文献１参照）
また、他の蓄尿容器として、図１４に示すものが知られている。この蓄尿容器２０１は、上カップ（メインカップ）２０２と、上カップ２０２の下方に配置された下カップ（サブカップ）２０３と、上カップ２０２内に配置された比例採集パイプ２０４と、を備えている。前記上カップ２０２と下カップ２０３及び比例採集パイプ２０４は、連通部２０５において互いに連通されていると共に、該連通部２０５に設けた三方弁２０６によって互いの連通を遮断可能になっている。２０７は三方弁２０６の操作用のコック、２０８は下カップ２０３に着脱可能に取付けられたキャップである。比例採集パイプ２０４は、文字通り上カップ２０２の尿の一定割合の尿、例えば上カップ２０２内に収容されている尿の１／５０の尿を収容するようになっている。
【０００３】
図１５Ａに示すように、前記三方弁２０６は、操作用のコック２０７が表示部Ｓの位置に在る時は、上カップ２０２と比例採集パイプ２０４との間を連通し、これら上カップ２０２及び比例採集パイプ２０４と下カップ２０３の間を遮断している。そして、この状態で上カップ２０２内に尿を注入すると、図１５Ｂに示すように、上カップ２０２に注入された尿は、連通部２０５を介して上カップ２０２内の液位と同じ液位になるまで比例採集パイプ２０４内に侵入する。比例採集パイプ２０４には、上カップ２０２に収容されている尿の一定割合、例えば上カップ２０２内に収容されている尿の１／５０の尿が収容されるようになっている。
【０００４】
次に、図１５Ｃに示すように、操作用のコック２０７を表示部Ｏの位置に移動させると、比例採集パイプ２０４と下カップ２０３が連通して、比例採集パイプ２０４内の尿が下カップ２０３内に流下する。比例採集パイプ２０４内の尿が完全に下カップ２０３内に流下したことを確認したら、図１５Ｄに示すように、操作用のコック２０７を表示部Ｓの位置に戻し、上カップ２０２及び比例採集パイプ２０４と下カップ２０３の間を遮断し、上カップ２０２と比例採集パイプ２０４との間を連通させる。
【０００５】
そして、図１５Ｅに示すように、不要になった上カップ２０２内の尿をトイレ等に捨てる。排尿の度毎に上記操作を繰り返して、下カップ２０３内に尿を溜めおく。
【０００６】
そして、所定時間、例えば２４時間分の尿を溜めた採尿カップ２０１は、病院等に持参されて、図１５Ｆに示すように、裏返しにされた状態でキャップ２０８を外されて下カップ２０３から尿を取り出して、尿の量Ｖを計測される。
【０００７】
そして、計測された尿の量Ｖ１から２４時間における総排尿量Ｖ２を算出するとＶ２＝Ｖ１×５０となる。
【０００８】
また、前記量Ｖ１の尿から検出された特定物質の排出量をＣ１とすると、２４時間における特定物質の総排出量Ｃ２は、Ｃ２＝Ｃ１×５０となる。（非特許文献１、非特許文献２参照）
【特許文献１】特開平５−２５６７４６号公報（段落０００５〜段落００１８等）
【非特許文献１】Ｏ．Ｔｏｃｈｉｋｕｂｏ，Ｓ．Ｕｎｅｄａ，Ｙ．Ｋａｎｅｋｏ；Ｓｉｍｐｌｅ  Ｐｏｒｔａｂｌｅ  Ｄｅｖｉｃｅ  Ｆｏｒ  Ｓａｍｐｌｉｎｇ  ａ  Ｗｈｏｌｅ  Ｄａｙ’ｓ  Ｕｒｉｎｅ  ａｎｄ  Ｉｔｓ  Ａｐｐｌｌｃａｔｉｏｎ  ｔｏ  Ｈｙｐｅｒｔｅｎｓｉｖｅ  Ｏｕｔｐａｔｉｅｎｔｓ；Ｈｙｐｅｒｔｅｎｓｉｏｎ，Ｖｏｌ，５，Ｎｏ２，Ｍａｒｃｈ−Ａｐｒｉｌ  １９８３
【非特許文献２】Ｏ．Ｔｏｃｈｉｋｕｂｏ，Ｓ．Ｕｎｅｄａ，Ｙ．Ｋａｎｅｋｏ；Ａｃｃｕｒａｃｙ  Ｏｆ  Ｎｅｗ  Ｐｏｒｔａｂｌｅ  Ｐｒｏｐｏｒｔｉｏｎａｌｌｙ  Ｓｉｍｐｌｉｎｇ  Ｄｅｖｉｃｅ  ｆｏｒ  Ｃｏｌｌｅｃｔｉｎｇ  ２４−Ｈｏｕｒ  Ｕｒｉｎｅ；Ｙｏｋｏｈａｍａ  Ｍｅｄ，Ｂｕｌｌ，Ｖｏｌ，３６，Ｎｏ５−６  １９８５
【発明の開示】
【発明が解決しようとする課題】
【０００９】
ところで、採尿した尿を検査する場合に、検査しようとする物質によっては採尿後、直ちに特定の薬剤（物質）を注入しないと正確な検査が不可能になる場合がある。例えば、しゅう酸値を検出する場合には採尿後、塩酸を注入する必要がある。従って、複数の物質を検査する必要があり、そのうちの一つの物質は薬剤を注入しないで検査し、他の物質は特定の薬剤を注入する必要がある場合、或いは注入する薬剤が異なる場合に、上記特許文献１の蓄尿容器１０１及び技術文献１、２の蓄尿容器２０１にあっては、複数の蓄尿容器を携帯しなければならなず持ち運びに不便であり、また採取した尿をその場で複数個に分割する必要があるという問題点があった。
【００１０】
本発明の目的は、持ち運びに便利で、しかも容易に尿を分割して保存することのできる蓄尿容器を提供することにある。
【課題を解決するための手段】
【００１１】
請求項１の発明は、有底筒状の採尿カップと、該採尿カップに採取された尿の一定の割合の尿を保存する複数の筒状の保存容器（保存用カートリッジ）と、で蓄尿容器を構成し、前記採尿カップの下端部に該採尿カップの外周から突出する保存容器支持部を設け、該保存容器支持部に前記保存容器の下端を嵌合することにより該保存容器を前記採尿カップに対して平行に起立させて支持する複数の保存容器嵌合部を設け、これら保存容器嵌合部の底部と前記採尿カップの底部を連通孔で連通するとともに、前記保存容器には前記保存容器嵌合部内において前記連通孔と連通する開口部及び該開口部を開閉する開閉弁を設けた。
【００１２】
請求項２の発明は、請求項１の蓄尿容器において、前記保存容器を、前記筒状の採尿カップの横断面積に対して所定の割合の横断面積に形成されていて下端部に前記開口部を有し上端部がキャップにより閉塞された筒状部と、前記キャップの中心孔から一端の操作部を突出させた状態で前記筒状部の中心部に移動可能に取り付けられた弁開閉ロッドと、前記弁開閉ロッドの一端部側に設けられていて前記弁開閉ロッドを前記筒状部から抜き出す方向に移動させることにより前記開口部を開き、前記筒状部へ挿入する方向に移動させることにより前記開口部を閉塞する開閉弁と、で構成した。
【００１３】
請求項３の発明は、請求項２の蓄尿容器において、前記弁開閉ロッドの他端部側に前記筒状部の内周面の間をシールするシール部を設けた。
【００１４】
請求項４の発明は、請求項３の蓄尿容器において、前記開閉弁で前記開口部を開放した状態において前記開閉弁と前記シール部の間に位置し、前記開閉弁で前記開口部を閉塞した状態において前記開閉弁と前記シール部の間の外側に位置する大気導入孔を前記筒状部に設けた。
【００１５】
請求項５の発明は、請求項３の蓄尿容器において、前記筒状部及び前記キャップに前記筒状部に対して前記キャップを回転させて互の位置を合わせることにより連通して外部から薬剤を前記筒状部に注入可能にする薬剤注入孔を設けた。
【００１６】
請求項６の発明は、請求項４の蓄尿容器において、前記筒状部の内部の前記大気導入孔よりも前記開口部側の位置に薬剤支持部を設け、該薬剤支持部に薬剤入りのカプセルを収容した。
【００１７】
請求項７の発明は、蓄尿容器を、採尿した尿を分割する漏斗状の分尿カップと、前記分尿カップにより分割された尿を保存する第１，第２の保存容器と、で構成し、前記分尿カップの底部に、第１，第２の排出口を設け、採尿した尿を２分割して、前記第１，第２の排出口から前記第１，第２の保存容器に蓄尿した。また、請求項８の発明は、請求項７の蓄尿容器において、前記分尿カップに、前記第１，第２の排出口の断面積の数倍の断面積を有する第３の排出口を設けた。
【発明の効果】
【００１８】
請求項１の蓄尿容器は、前記保存容器嵌合部に前記保存容器の下端部を挿入して保存容器の下端に設けた開口部を開くと前記採尿カップ内の尿が所謂サイフォンの原理によって前記保存容器の筒状部内に流入する。従って、前記開口部を開閉弁で閉塞すれば前記採尿カップと同じ液位の尿が前記保存容器内に封入される。このようにして、複数の保存容器に同時に同じ量の尿を採尿することができる。そして、前記複数の保存容器の内の一つは、採尿時の侭の状態で通常蓄尿し、他の一つには塩酸等を加えて酸性蓄尿することが可能になる。特に、請求項２の蓄尿容器は、弁開閉ロッドにより開閉弁を移動させて、前記筒状部の開口部を簡単確実に開閉することができる。また、請求項３の蓄尿容器は、前記弁開閉ロッドの他端部側に前記筒状部の内周面の間をシールするシール部を設けたので、前記弁開閉ロッドの一端部を突出させるために前記筒状部の上端部に取り付けた前記キャップの中心孔から尿が漏れ出すのを防止することができる。また、請求項４の蓄尿容器は、前記筒状部に大気導入孔を設け、該大気導入孔を介して、前記筒状部内を大気中に開放したので、前記採尿カップの尿は円滑に前記保存容器内に流入する。そして、前記保存容器内に尿を導入したのちに、前記開口部を前記開閉弁で塞いだ状態にすると、前記大気導入孔は前記開閉弁と前記シール部の間の外側に位置して、前記大気導入孔から尿が漏れ出すのを防止する。また、請求項５の蓄尿容器は、前記筒状部に対して前記キャップを回転させてこれら筒状部及びキャップに設けた薬剤注入孔の位置を合わせることにより、これら薬剤注入孔から前記筒状部内に薬剤を注入することができる。そして、薬剤を注入後に前記筒状部に対して前記キャップを回転させて前記薬剤注入孔の位置をズラすことにより前記薬剤注入孔を塞ぐことができる。請求項６の蓄尿容器は、前記大気導入孔よりも前記開口部側の位置に薬剤支持部を設け、薬剤支持部に薬剤入りのカプセルを収容したので、前記開閉部で前記開口部を塞ぐ際に、先ず前記シール部で前記大気導入孔を塞いだ後に、前記シール部で前記薬剤収容部内の薬剤入りのカプセルを押し潰して自動的に薬剤を尿中に注入する。
【００１９】
また、請求項７の蓄尿容器は、採尿した尿を２分割する漏斗状の分尿カップと、前記分尿カップにより分割された尿を保存する第１，第２の蓄尿容器と、からなる蓄尿容器において、前記分尿カップに、底部に第１，第２の２つの排出口を設けたので、これら第１，第２の排出口の断面積の大きさに比例する割合で前記分尿カップ内の尿を前記第１，第２の蓄尿容器に供給し、前記第１，第２の蓄尿容器に蓄尿することができる。また、請求項８の蓄尿容器は、請求項７の蓄尿容器において、前記分尿カップに、前記第１，第２の排出口の断面積の数倍の断面積を有する第３の排出口を設けたので、該第３の排出口からは不要の尿を排出し、必要な量の尿だけ蓄尿容器に蓄尿することができる。
【発明を実施するための最良の形態】
【００２０】
図１〜図５は、第１の実施例を示し、図１は採尿カップに保存容器を取り付けた状態の斜視図、図２は採尿カップから保存容器を取り外した状態の斜視図である。
【００２１】
蓄尿容器１は、採尿カップ２と、該採尿カップ２に採取された尿の一定の割合の尿を保存する複数の筒状の保存容器（保存用カートリッジ）３…３と、で構成されている。
【００２２】
前記採尿カップ２は、透明のガラス或いは透明のプラスチックにより所定の直径の円筒状に形成されていて、外側面には容積を示す目盛４が付されているとともに、外側面には取手５が設けられている。また、前記採尿カップ２は、下端部に該採尿カップ２の外周から突出する台座部６と保存容器支持部７を備えている。
【００２３】
前記台座部６は、採尿カップ２を安定した状態でテーブル等の上に載置するためのものである。また、前記保存容器支持部７は、前記保存容器３を前記採尿カップ２に対して平行に起立させて支持するためのものである。前記保存容器支持部７は、保存容器３の下端を嵌合する２個の保存容器嵌合部８を備えている。
【００２４】
図３、図４に示すように、前記保存容器嵌合部８の底部と前記採尿カップ２の底部は、連通孔９を介して連通している。前記保存容器嵌合部８は、前記保存容器３の下端を嵌合し易くするために開口側の端部８ａが大径に、下端部８ｂが小径に形成されている。
【００２５】
図２に示すように、前記保存容器３は、前記円筒状の採尿カップ２の横断面積に対して所定の割合、例えば１／５０の横断面積の円筒状に形成されていて下端部に前記連通孔９と連通する開口部１０を有する筒状部１１と、該筒状部１１の上端を閉塞するキャップ１２と、該キャップ１２の中心孔１２ａから一端１３ａを突出させた状態で前記筒状部１１の中心部に移動可能に取り付けられた弁開閉ロッド１３と、該弁開閉ロッド１３の一端部側に設けられていて該弁開閉ロッド１３を前記筒状部１１から抜き出す方向（図２の矢印Ａ方向）に移動させることにより前記筒状部１１の下端の開口部１０を開き、前記筒状部１１へ挿入する方向（図２の矢印Ｂ方向）に移動させることにより前記筒状部１１の開口部１０を閉塞する開閉弁１４と、前記弁開閉ロッド１３の他端部側に取り付けられた操作用の摘み部１５と、該摘み部１５と前記キャップ１２の間に着脱自在に介在されて前記弁開閉ロッド１３が前記第２の方向に移動するのを阻止するロック部材（ストッパー）１６と、を備えている。
【００２６】
前記筒状部１１は、下端の前記保存容器嵌合部８への挿入部の外径が前記保存容器嵌合部７の形状に合わせて他の部分よりも小径に形成されている。前記挿入部の外周面には前記保存容器嵌合部８の内周面との間をシールするシールリング１７が設けられている。また、前記筒状部１１は、前記開口部１０から尿を浸入し易くするための大気導入孔１８を周面に備えている。前記大気導入孔１８は、図３に示すように、前記開閉弁１４が前記開口部１０を開放している状態において該開閉弁１４と、後に説明するシール部２１と、の間に位置し、図４に示すように、前記開閉弁１４で前記開口部１０を閉塞した状態において前記シール部２１で閉塞される位置に設けられている。また、前記筒状部１１の内周面の前記大気導入孔１８と略対向する位置には、前記シール部２１に設けた薬剤収容部２６に収容されている薬剤２７を前記筒状部１１内の尿に流下させるための薬剤流下溝２８が形成されている。なお、図２に示すように、前記筒状部１１の外側面には収容した尿の容積を示す目盛１９が付されている
前記キャップ１２は、内周面にネジが形成されていて前記筒状部１１の上端部に螺着されている。
【００２７】
前記弁開閉ロッド１３は、前述したように前記キャップ１２の中心孔１２ａから前記弁開閉ロッド１３の一端１３ａを突出させた状態で前記筒状部１１内に挿入されている。
【００２８】
前記開閉弁１４は、前記弁開閉ロッド１３の一端部の外周にシールリング２０を取り付けることにより形成されている。そして、前記弁開閉ロッド１３を前記筒状部１１から抜き出す方向にに移動させると、図３に示すように、前記開閉弁１４を構成するシールリング２０と前記保存容器３の先端の挿入部の内周面との間に隙間Ｇが発生して前記筒状部１１の開口部１０を開放し、前記弁開閉ロッド１３を前記筒状部１１に挿入する方向に移動させると、図４に示すように、前記開閉弁１４を構成するシールリング２０が前記筒状部１１の先端の内周面に密着して前記開口部１０を閉塞する。
【００２９】
前記摘み部１５は、図２に示すように、前記キャップ１２の中心孔１２ａから突出した前記弁開閉ロッド１３の一端部１３ａに螺着される。
【００３０】
前記ロック部材１６は、略Ｕ字状に形成されていて前記弁開閉ロッド１３の一端部１３ａの外周に嵌合した状態で取り付けられるようになっている。
【００３１】
また、前記弁開閉ロッド１３は、前記開閉弁１４と反対の端部側に前記筒状部１１の内周面の間をシールするシール部２１を備えている。図３，図４に示すように、前記シール部２１は、前記弁開閉ロッド１３に設けた大径軸部２２と、該大径軸部２２の下端側の外周に設けられた第１，第２のシールリング２３，２４と、前記大径軸部２２の上端側の外周に設けられた第３のシールリング２５と、を備えている。
【００３２】
前記大径軸部２２の第１，第２のシールリング２３，２４と第３のシールリング２５の間には、前記大径軸部２２の片側を削除して薬剤収容部２６が形成されている。前記薬剤収容部２６には、前記開口部１０を開放した状態において前記筒状部１１の上端側に設けた第１の薬剤注入孔２９及び前記キャップ１２に設けた第２の薬剤注入孔３０を介して注射器等で薬剤（薬液）２７が注入される。前記薬剤収容部２６内に注入された薬剤２７は、前記筒状部１１に対して前記キャップ１２を回転させて前記第１の薬剤注入孔２９と第２の薬剤注入孔３０の位置をズラすことによりこれら第１，第２の薬剤注入孔２９，３０は塞がれて、薬剤２７は薬剤収容部２６内に封入された状態になる。
【００３３】
図５Ａ〜図５Ｄは、前記保存容器３の組立工程の一例を示す。先ず図５Ｂに示すように、前記弁開閉ロッド１３を、前記キャップ１２の中心孔１２ａに前記弁開閉ロッド１３の端部を挿入して前記キャップ１２を取り付ける。次に、図５Ｃに示すように、前記弁開閉ロッド１３の端部に操作用の摘み部１５を螺着する。そして、最後に図５Ｄに示すように、前記キャップ１２を前記筒状部１１の端部に螺着して保存容器３は、組み立てられる。
【００３４】
次に、第１の実施例の蓄尿容器１の使用方法及び作用について説明する。先ず、図１に示すように、前記ロック部材１６を付けた侭の状態で前記保存容器３の先端を前記採尿カップ２の２個の保存容器嵌合部８，８に挿入する。次に、前記採尿カップ２に採尿する。前記採尿カップ２の下端部と前記２個の保存容器嵌合部８，８内は、前記連通孔９及び開口部１０を介して連通しているとともに、前記筒状部１１内は、大気導入孔１８を介して外部に連通（大気中に開放）されているので、前記採尿カップ２内の尿Ｕは、所謂サイホンの原理によって、前記連通孔９及び開口部１０を介して前記採尿カップ２内の液位（尿位）の位置まで前記２個の保存容器３，３の筒状部１１内に導入される。
【００３５】
次に、前記ロック部材１６を取り外した後に前記操作部１５を摘んで前記弁開閉ロッド１３を一方向に移動させると、図４に示すように、前記開閉弁１４を構成するシールリング２０が前記筒状部１１の先端の内周面に密着して前記開口部１０を閉塞して、採尿した尿の一定の割合の尿を前記保存容器３内に密封するとともに、前記第１，第２のシールリング２３，２４が前記薬剤流下溝２８の位置に移動してきて前記薬剤収容部２６内の薬剤２７が前記保存容器３の尿に注入される。図４に示す状態において、前記大気導入孔１８は、前記第１，第２のシールリング２３，２４の間に位置して、これら第１，第２のシールリング２３，２４により封止された状態になって尿が漏れるのを防止する。また、前記第３のシールリング２５によって前記キャップ１２の中心孔１２ａから尿が漏れるのも防止される。
【００３６】
そして、前記２個の保存容器３内に尿を採取したら、保存容器３を取り付けた侭の状態で前記採尿カップ２の尿を捨てる。そして、前記採尿カップ２から前記２個の保存容器３，３を取り外してこれら保存容器３，３を保管する。
【００３７】
排尿毎に前記作業を繰り返せば、排尿毎に塩酸等の薬剤を注入した尿及び薬剤を注入しない尿のサンプルを採っておくことができる。そして、保存容器３の尿の量から一日の総尿量を容易に算定することができる。なお、上記実施例では、保存容器３の筒状部１１とキャップ１２に第１の薬剤注入孔２９と第２の薬剤注入孔３０を設け、これら第１，第２の薬剤注入孔２９，３０を介して液状の薬剤２７を保存容器３の薬剤収容部２６内に注入する場合を示したが、図６、図７に示す第２の実施例のように、前記保存容器３の筒状部１１の内周面の前記大気導入孔１８よりも前記開口部１０側の位置に薬剤収容部としてのリング状のカプセル支持部（薬剤ブロック）３１を設け、該カプセル支持部３１に薬剤入りのカプセル３２を収容しておいて、前記開口部１０を閉塞する際に、前記シール部２１の大径軸部２２の下端で前記薬剤入りのカプセル３２を前記カプセル支持部３１に押し付けて押し潰すことにより、薬剤入りのカプセル３２内の薬剤２７を尿の中に注入する構成にしてもよい。なお、上記実施例においては、採尿カップ２に２個の保存容器嵌合部８を設けた場合を示したが、保存容器嵌合部８は、１個でも３個以上であってもよい。
【００３８】
図８〜図１２は、第３の実施例を示す。この実施例は、病院内において患者の尿を蓄尿する蓄尿容器を示す。前記蓄尿容器１Ａは、採尿した尿を２分割する漏斗状の分尿カップ４１と、前記分尿カップ４１により２分割された尿を保存する第１，第２の保存容器４２，４３と、を備えている。
【００３９】
前記分尿カップ４１は、底部に開口断面積が等しい第１，第２の２つの排出口４４，４５を備えていて、採尿した尿を２等分して、前記第１，第２の排出口４４，４５から前記第１，第２の保存容器４２，４３に供給する。図１２に示すように、前記分尿カップ４１は、内部に幅狭部４６を備えていて、該幅狭部４６の底面の両側部に前記第１，第２の排出口４４，４５が設けられている。前記幅狭部４６は、前記第１，第２の排出口４４，４５から均等に尿を排出させるためのものであり、採尿量が少ない場合（１００ｍｌ以下）の場合でも前記分尿カップ４１内の尿位（液位）Ｈを確保し、約１秒程度で前記第１，第２の排出口４４，４５から均等に尿を排出させ、２分割精度を保持する効果を有する。また、前記幅狭部４６は、テーパーを有する構造を持ち、前記分尿カップ４１内に尿が残らないようになっている。
【００４０】
図９に示すように、前記第１，第２の保存容器４２，４３は、合成樹脂により袋状に形成されている。これら袋状の第１，第２の保存容器４２，４３の開口端側の外面には、一対のロッド挿入用の折返部４７，４７が設けられている。
【００４１】
そして、前記一対のロッド挿入用の折返部４７，４７にそれぞれ保存容器支持ロッド４８を挿入することにより、前記第１，第２の保存容器４２，４３は、図１０に示すように、開口部４２ａ，４３ａを開いた状態で、これら保存容器支持ロッド４８に吊り下げられた状態で支持されている。前記保存容器支持ロッド４８は、支柱４９の上端に２対、合計４本が平行に設けられている。前記支柱４９は、パッド５０の一側部に立設されている。なお、図８に示すように、前記第１，第２の保存容器４２，４３の開口部４２ａ，４３ａの上方には、これら開口部４２ａ，４３ａを塞ぐようにして、金属等の蓋５１が取り付けられる。上記蓋５１には、一対の孔５２，５３が設けられていて、これら一対の孔５２，５３を介して、前記第１，第２の排出口４３，４４が前記第１，第２の保存容器４２，４３の開口部４２ａ，４３ａ内に挿入されている。前記蓋５１は、前記第１，第２の保存容器４２，４３から臭気が散逸するのを防止するためのものである。なお、臭気の散逸を積極的に防止するため裏面には前記臭気を吸着する吸着剤を取り付けても良い。また、前記分尿カップ４１にも必要に応じて蓋６１が取り付けられる。
【００４２】
第３の実施例の蓄尿容器は上述のような構成であって、採尿した尿を前記分尿カップ４１に注入すれば、注入された尿は、２分割されて前記第１，第２の保存容器４２，４３に蓄尿される。前記第１，第２の保存容器４２，４３に溜められた一方の尿には予め塩酸等の薬剤を注入しておく。そして、採尿の度毎に蓄尿して、２４時間分の尿を蓄えた後に、前記第１，第２の保存容器に付けられた目盛を見て合算すれば２４時間の蓄尿量が分かる。そして、前記蓄尿について例えばしゅう酸等の量を検出すれば、２４時間に排出されたしゅう酸の総量を容易に算出することができる。因みに、第１の実施例においては、保存容器３内に保存されている尿は、蓄尿したものではないので、排尿時間等によって排出されるしゅう酸の量が異なるので排尿の度毎に採尿した尿に含まれるしゅう酸の量を個々に検出して２４時間に採取した全保存容器分を合算することで２４時間におけるしゅう酸の総量を算出するが可能である。なお、前記第３の実施例においては、採尿した尿の全量を２分割して蓄尿する場合を示したが、必ずしも採尿した尿の全量を蓄尿する必要はないので、この場合は、前記第１，第２の排出口４４，４５の断面積に対して数倍の断面積の第３の排出口を形成し、該第３の排出口に排出パイプを連結して尿の大半をトイレ等に流す構成にしてもよい。この場合でも、前記第１，第２の排出口４４，４５の断面積と前記第３の排出口の断面積の割合によって、尿の全量を容易に算出することができる。また、２４時間室温で蓄尿すると不都合がある場合は保存容器４２，４３をクーラーボックス内に収納することもできる。
【図面の簡単な説明】
【００４３】
【図１】第１の実施例の蓄尿容器の斜視図（保存容器を取り付けた状態）。
【図２】第１の実施例の蓄尿容器の斜視図（保存容器を取り外した状態）。
【図３】開口部を開いた状態の断面図。
【図４】開口部を閉じた状態の断面図。
【図５】ＡとＢとＣは、保存容器の組立工程図。
【図６】第２の実施例の開口部を開いた状態の断面図。
【図７】第２の実施例の開口部を閉じた状態の断面図。
【図８】第３の実施例の斜視図。
【図９】第３の実施例の分解斜視図。
【図１０】第３の実施例の蓋を取り外した状態の斜視図。
【図１１】第３の実施例の断面図。
【図１２】分尿カップの断面図。
【図１３】従来例の断面図。
【図１４】他の従来例の斜視図。
【図１５】ＡとＢとＣとＤとＥとＦは、使用方法を示す説明図。
【符号の説明】
【００４４】
１、１Ａ…蓄尿容器、２…採尿カップ、３…保存容器（保存用カートリッジ）、７…保存容器支持部、８…保存容器嵌合部、９…連通孔、１０…開口部、１１…筒状部、１２…キャップ、１３…弁開閉ロッド、１４…開閉弁、１８…大気導入孔、２０…シールリング、２１…シール部、２２…大径軸部、２３〜２５…第１〜第３のシールリング、２６…薬剤収容部、２７…薬剤、２８…薬剤流下溝、２９…第１の薬剤注入孔、３０…第２の薬剤注入孔、３１…カプセル支持部、３２…薬剤入りカプセル、４１…分尿カップ、４２…第１の保存容器、４３…第２の保存容器、４４…第１の排出口、４５‥第２の排出口。
【図１】
2006003284.tif 000003
【図２】
2006003284.tif 000004
【図３】
2006003284.tif 000005
【図４】
2006003284.tif 000006
【図５】
2006003284.tif 000007
【図６】
2006003284.tif 000008
【図７】
2006003284.tif 000009
【図８】
2006003284.tif 000010
【図９】
2006003284.tif 000011
【図１０】
2006003284.tif 000012
【図１１】
2006003284.tif 000013
【図１２】
2006003284.tif 000014
【図１３】
2006003284.tif 000015
【図１４】
2006003284.tif 000016
【図１５】
2006003284.tif 000017